(57)【要約】【課題】ブラシ片の腰の強さを確保することができると共に、製造コストを低減できる洗車機用洗浄ブラシ及び洗車機を提供する【解決手段】  自動車或いは車両の外面の被洗浄面に付着した汚れ等を洗浄する為の洗車機に使用する回転体の外周に複数のブラシ片を固定した洗車機用洗浄ブラシ１において、前記ブラシ片は、前記回転体２に固定される下部ブラシ片５と、該下部ブラシ片５に接合されて先端部まで延びる不織布及び極微細な気泡を有する多孔質化されたポリウレタンよりなる二重構造体６とを有していることを特徴とする洗車機用洗浄ブラシ１。【選択図】      図１
2007313037.tif 000002
【特許請求の範囲】
【請求項１】
自動車或いは車両の外面の被洗浄面に付着した汚れ等を洗浄する為の洗車機に使用する回転体の外周に複数のブラシ片を固定した洗車機用洗浄ブラシにおいて、前記ブラシ片は、前記回転体に固定される下部ブラシ片と、該下部ブラシ片に接合されて先端部まで延びる不織布及び極微細な気泡を有する多孔質化されたポリウレタンよりなる二重構造体とを有していることを特徴とする洗車機用洗浄ブラシ。
【請求項２】
自動車或いは車両の外面の被洗浄面に付着した汚れ等を洗浄する為の洗車機に使用する回転体の外周に複数のブラシ片を固定した洗車機用洗浄ブラシにおいて、前記ブラシ片は、前記回転体に固定される下部ブラシ片と、該下部ブラシ片に接合されて先端部まで延びる水流絡合型不織布とを有していることを特徴とする洗車機用洗浄ブラシ。
【請求項３】
回転体の外周に固定されたブラシ片間に合成樹脂発泡体を配置したことを特徴とする請求項１又は２に記載された洗車機用洗浄ブラシ。
【請求項４】
請求項１乃至３のいずれか１項に記載された洗車機用洗浄ブラシを搭載した洗車機。
【発明の詳細な説明】
【技術分野】
【０００１】
本発明は、ガソリンスタンド等に設置される洗車機と、この洗車機に使用される洗車機用洗浄ブラシに関するものである。
【背景技術】
【０００２】
従来の洗車機用洗浄ブラシとして、ブラシ片が、回転体に固定される取付基部から先端部まで延在する不織布片と、この不織布片の取付基部から中間部に渡る裏面に重ねられる発泡合成樹脂片とを有するものがある（特許文献１）。
また、ブラシ片が、回転体に固定される取付基部から中間部まで延在する発泡合成樹脂片と、この発泡合成樹脂片の延在端に接合されて先端部まで延在する不織布片とを有するものがある（特許文献２）。
【０００３】
【特許文献１】特開２００６−６２４８３号公報
【特許文献２】特開２００６−６２４８４号公報
【発明の開示】
【発明が解決しようとする課題】
【０００４】
上記従来の特許文献１に記載された技術では不織布片をブラシ片全体に亘って使用し、実際には被洗浄面に当接しない回転体の取付基部まで不織布を使用しているので、無駄であり、コスト高となる。また、特許文献２に記載された技術では、発泡合成樹脂片と不織布とを縫製するのは難しく、これもコスト高となっている。
【０００５】
本発明は上記点に鑑み、ブラシ片の腰の強さを確保することができると共に、製造コストを低減できる洗車機用洗浄ブラシ及び洗車機を提供することを目的とする。
【課題を解決するための手段】
【０００６】
請求項１の発明は、自動車或いは車両の外面の被洗浄面に付着した汚れ等を洗浄する為の洗車機に使用する回転体の外周に複数のブラシ片を固定した洗車機用洗浄ブラシにおいて、前記ブラシ片は、前記回転体に固定される下部ブラシ片と、該下部ブラシ片に接合されて先端部まで延びる不織布及び極微細な気泡を有する多孔質化されたポリウレタンよりなる二重構造体とを有していることに特徴を有する。
【０００７】
請求項２の発明は、自動車或いは車両の外面の被洗浄面に付着した汚れ等を洗浄する為の洗車機に使用する回転体の外周に複数のブラシ片を固定した洗車機用洗浄ブラシにおいて、前記ブラシ片は、前記回転体に固定される下部ブラシ片と、該下部ブラシ片に接合されて先端部まで延びる水流絡合型不織布とを有していることに特徴を有する。
【０００８】
請求項３の発明は、請求項１又は２に記載された洗車機用洗浄ブラシにおいて、回転体の外周に固定されたブラシ片間に合成樹脂発泡体を配置したことに特徴を有する。
【０００９】
請求項４の発明は、請求項１乃至３のいずれか１項に記載された洗車機用洗浄ブラシを搭載した洗車機に特徴を有する。
【発明の効果】
【００１０】
請求項１の発明では、被洗浄面に当接する部分を不織布及び極微細な気泡を有する多孔質化されたポリウレタンよりなる二重構造体とし、請求項２の発明では、被洗浄面に当接する部分を水流絡合型不織布として、被洗浄面に当接しない部分はどちらも下部ブラシ片とすることによって、洗浄効果を向上しつつ、コストの低減を図ることができる。
【００１１】
請求項３の発明は、複数のブラシ片の間に合成樹脂発泡体を配置することによって、ブラシ片の腰の強さを確保することができる。
【００１２】
請求項４の発明は、請求項１乃至３のいずれか１項に記載された洗車機用洗浄ブラシを搭載した洗車機に特徴を有する。したがって、ブラシ片の腰の強さを確保することができると共に、製造コストを低減できる洗車機を提供することができる。
【発明を実施するための最良の形態】
【００１３】
次に、本発明の実施形態を図面に基づいて説明する。図１は本発明に使用する洗車機用洗浄ブラシ１の斜視図である。洗車機用洗浄ブラシ１は回転体２の外周に４条の溝３が設けられており、この溝３に嵌め合わされるブラケット４を有する下部ブラシ片５と、この下部ブラシ片５の端部に溶着された上部ブラシ片６とを有するものである。
また、上部ブラシ片６にはスリット６ａが設けられている。このスリット６ａを設けることによって、洗浄性を高めることができるが、スリット６ａを設けない構成であってもよい。
尚、下部ブラシ片５の端部と上部ブラシ片６との接合方法については、溶着以外にも縫製、ネジ止め、リベット止め、接着等、様々な接合方法を適用することができる。
【００１４】
図２は本発明に係る洗車機用洗浄ブラシの第１実施形態を示す説明図である。この実施形態では、下部ブラシ片５に不織布を使用し、上部ブラシ片６に不織布及び極微細な気泡を有する多孔質化されたポリウレタンよりなる二重構造体を使用している。また、下部ブラシ片５とブラケット４とはリベット９によって結合されている。尚、下部ブラシ片５は、不織布の他に、織布、編物、熱可塑性エラストマーシート、フィルム状樹脂組成物等でもよい。
【００１５】
また、不織布及び極微細な気泡を有する多孔質化されたポリウレタンよりなる二重構造体は、次の手順で製造される。まず、複数本の繊維を平板状に集積させて布状体を形成し、この布状体を複数枚重ね合わせた後、特殊な針を突き刺して３次元に絡合された不織布を形成する（これは通常、ニードルパンチと呼ばれている）。次に、不織布をポリウレタン溶液中に含浸させることにより、不織布にポリウレタン溶液を充填させる。次に、ポリウレタン溶液を充填させた不織布を水中に浸漬させることにより、不織布及び極微細な気泡を有する多孔質化されたポリウレタンよりなる二重構造体が形成されるのである。
【００１６】
また、不織布はスパンボンド法で製造される。ここで、スパンボンド法とは、熱溶融したポリプロピレン樹脂を連続繊維状に延伸しながら捕集ネット上に集積して、熱ロールで加圧し、ポリプロピレン繊維を結合させて不織布が形成されるのである。
【００１７】
図３は本発明に係る洗車機用洗浄ブラシの第２実施形態を示す説明図である。この実施形態では、下部ブラシ片５に第１実施形態と同様に不織布を使用し、上部ブラシ片６に水流絡合型不織布を使用している。また、下部ブラシ片５とブラケット４とはリベット９によって結合されている。
【００１８】
ここで、水流絡合型不織布は、次の手順で製造される。まず、ナイロン繊維とポリエステル繊維をニードルパンチングにより機械的に絡合させてウエッブを得る。次いで、得られたウエッブに対して、高圧水流を当て、ナイロン繊維とポリエステル繊維を結合させて水流絡合型不織布が形成されるのである。この水流絡合型不織布は、高圧水流が当たる際、ナイロン繊維とポリエステル繊維が楔状に細分割される。その為、楔状のナイロン繊維とポリエステル繊維とが有する角部により、汚れの掻き出し性能が発揮されるのである。
【００１９】
図４は本発明に係る洗車機用洗浄ブラシの第３実施形態を示す説明図である。この実施形態では、下部ブラシ片５は不織布であり、上部ブラシ片６は、第１実施形態の不織布及び極微細な気泡を有する多孔質化されたポリウレタンよりなる二重構造体か、第２実施形態の水流絡合型不織布のどちらでもよい。そして、隣り合う溝に取付けられた下部ブラシ片５、５の間を埋めるように合成樹脂発泡体７が４箇所に配置されている。この合成樹脂発泡体７によって、下部ブラシ片５、５の腰が強くなるのである。尚、合成樹脂発泡体７の他に、布帛、フィルム状樹脂組成物等でもよい。また、下部ブラシ片５とブラケット４とはリベット９によって結合されている。
【００２０】
図５は本発明に係る洗車機用洗浄ブラシの第４実施形態を示す説明図である。この実施形態では、第３の実施形態に加えてさらに、同じ溝に取付けられたブラシ片５、５の間を埋めるように合成樹脂発泡体８が４箇所に配置されている。この合成樹脂発泡体８によって、第３実施形態よりも増して、下部ブラシ片５、５の腰が強くなるのである。尚、合成樹脂発泡体８の他に、布帛、フィルム状樹脂組成物等でもよい。また、下部ブラシ片５とブラケット４とはリベット９によって結合されている。
【００２１】
次に、図６は本発明の洗車機用洗浄ブラシを搭載した洗車機の正面図である。洗車機６７は、図６のように、本発明の洗車機用洗浄ブラシ６６が搭載されており、この洗車機用洗浄ブラシ６６は駆動源６８より回転される。ノズル６９からは、被洗浄面に対して洗浄剤及び水が散布され、洗車機用洗浄ブラシ６６により、洗浄され、洗浄後は洗車機６７の乾燥手段である乾燥機９０により被洗浄面が乾燥される。
【００２２】
洗車機６７は、被洗浄面に傷を付けること無く、高い洗浄性を有すると共に、洗浄時の接触音を極力低減、或いは抑制でき、腰の強いブラシ片を有する洗車機用洗浄ブラシ６６が搭載されているので、被洗浄面に対して傷を付着させること無く、毛腰を強く当接させることができる。その為、洗車機６７は、洗車機用洗浄ブラシ６６を高速回転に設定すると共に、洗浄時間を短時間に設定した場合においても、被洗浄面に傷が付着すること無く、且つ洗浄残りの無い高い洗浄性が付与される。また、洗車機用洗浄ブラシ６６の回転を、低速回転から高速回転等に急変させた場合においても、前記と同様の作用が洗車機６７に付与される。その為、被洗浄面である車体に傷を付けることが無いと共に、洗浄時の接触音を極力低減、或いは抑制できる非常に高い洗浄性が発揮できる洗車機６７を提供することができる。
【００２３】
尚、本発明の趣旨を逸脱しない範囲において、種々の実施形態をとることができることは言うまでもない。
【産業上の利用可能性】
【００２４】
本発明の洗車機用洗浄ブラシ及び洗車機は主に、自動車或いは車両の外面の被洗浄面に付着した汚れ等を洗浄する為の洗車機、及び洗車機に搭載される洗車機用洗浄ブラシとして使用する。
【図面の簡単な説明】
【００２５】
【図１】本発明に使用する洗車機用洗浄ブラシの斜視図である。
【図２】本発明に係る洗車機用洗浄ブラシの第１実施形態を示す説明図である。
【図３】本発明に係る洗車機用洗浄ブラシの第２実施形態を示す説明図である。
【図４】本発明に係る洗車機用洗浄ブラシの第３実施形態を示す説明図である。
【図５】本発明に係る洗車機用洗浄ブラシの第４実施形態を示す説明図である。
【図６】本発明の洗車機用洗浄ブラシを搭載した洗車機の正面図である。
【符号の説明】
【００２６】
１  洗車機用洗浄ブラシ
２  回転体
３  溝
４  ブラケット
５  下部ブラシ片
６  上部ブラシ片
７、８  合成樹脂発泡体
９  リベット
６６  洗車機用洗浄ブラシ
６７  洗車機
６８  駆動源
６９  ノズル
９０  乾燥機
【図１】
2007313037.tif 000003
【図２】
2007313037.tif 000004
【図３】
2007313037.tif 000005
【図４】
2007313037.tif 000006
【図５】
2007313037.tif 000007
【図６】
2007313037.tif 000008